(57)【要約】【課題】レンズ鏡筒において、構造の簡素化、部品点数の削減、組付け作業の容易化、低コスト化、光軸合わせの容易化、耐衝撃性の向上等を図る。【解決手段】光学要素を保持する第１筒部材１０、第１筒部材の端部１６を結合させると共に光学要素を保持する第２筒部材２０を含むレンズ鏡筒において、第１筒部材１０は、端部の外周から径方向に突出する突出部１８を有し、第２筒部材２０は、第１筒部材の端部１６及び突出部１８を嵌め込むと共に接着剤Ｇｒを充填する嵌合凹部２１（環状凹部２２、拡幅凹部２３）を有する。これによれば、構造の簡素化、部品点数の削減、組付け作業の容易化、低コスト化、光軸合わせの容易化、耐衝撃性の向上等を達成できる。【選択図】図４
2016051076.tif 000002
【特許請求の範囲】
【請求項１】
光学要素を保持する第１筒部材と、前記第１筒部材の端部を結合させると共に光学要素を保持する第２筒部材と、を含むレンズ鏡筒であって、
前記第１筒部材は、前記端部の外周から径方向に突出する突出部を有し、
前記第２筒部材は、前記第１筒部材の端部及び突出部を嵌め込むと共に接着剤を充填する嵌合凹部を有する、
ことを特徴とするレンズ鏡筒。
【請求項２】
前記突出部は、前記端部の周方向において複数配列して形成され、
前記嵌合凹部は、前記端部を受け入れる環状凹部と、前記複数の突出部を受け入れるべく径方向に拡幅して形成された複数の拡幅凹部を含む、
ことを特徴とする請求項１に記載のレンズ鏡筒。
【請求項３】
前記第１筒部材は、前記端部から軸線方向に環状に突出して形成された環状突出端面を有し、
前記第２筒部材は、前記環状凹部において、前記環状突出端面を密接させる環状受け面を有する、
ことを特徴とする請求項１又は２に記載のレンズ鏡筒。
【請求項４】
前記突出部は、径方向の外側に向けて肉厚が薄くなる傾斜面をなすように形成されている、
ことを特徴とする請求項１ないし３いずれか一つに記載のレンズ鏡筒。
【請求項５】
前記第１筒部材は、前記端部の外周から径方向に突出する掛止凸部を有し、
前記第２筒部材は、前記掛止凸部を受け入れるべく径方向に拡幅して形成された第２拡幅凹部及び前記第１筒部材を接合させた後に軸線回りに回転させて前記掛止凸部を掛止させる掛止凹部を有する、
ことを特徴とする請求項１ないし４いずれか一つに記載のレンズ鏡筒。
【請求項６】
前記掛止凸部は、前記端部の周方向において複数配列して形成され、
前記第２拡幅凹部及び掛止凹部は、前記複数の掛止凸部に対応する領域において周方向に複数配列して形成されている、
ことを特徴とする請求項５に記載のレンズ鏡筒。
【請求項７】
前記第１筒部材に保持される光学要素は、複数のレンズを含み、
前記第２筒部材に保持される光学要素は、複数のレンズを含む、
ことを特徴とする請求項１ないし６いずれか一つに記載のレンズ鏡筒。
【請求項８】
レンズ光学系と、撮像素子と、前記レンズ光学系及び撮像素子を収容するハウジングと、を備えた撮像装置であって、
前記レンズ光学系は、請求項１ないし７いずれか一つに記載のレンズ鏡筒を含む、
ことを特徴とする撮像装置。
【発明の詳細な説明】
【技術分野】
【０００１】
本発明は、複数のレンズを備えたレンズ鏡筒及びレンズ鏡筒を搭載した撮像装置に関し、特に、デジタルカメラ、車載カメラ、監視カメラ、携帯情報端末機等の撮像装置において使用されるレンズ鏡筒及び撮像装置に関する。
【背景技術】
【０００２】
従来のレンズ鏡筒及び撮像装置としては、複数のレンズを配列して保持すると共に外周に雄ネジ部が形成された第１筒部材（レンズホルダー）、第１筒部材の雄ネジ部を螺合する雌ネジ部を有し光学フィルタ（光学要素）を保持すると共に撮像素子を取り付ける得る第２筒部材（ベース）等を備え、第１筒部材の雄ネジ部を第２筒部材の雌ネジ部に螺合してその螺合量を適宜調整することにより光軸方向の調整を行えるようにしたレンズ鏡筒、又、このレンズ鏡筒の第２筒部材（ベース）に撮像素子を実装した基板を組み付けた構成からなる撮像装置が知られている（例えば、特許文献１を参照）。
しかしながら、上記のレンズ鏡筒においては、第１筒部材の雄ネジ部を第２筒部材の雌ネジ部に螺合させるだけで両者を組み付ける構成であるため、光軸方向の調整が可能であると共に外部からの衝撃等により第１筒部材が第２筒部材から外れ落ちる虞は無いものの、雄ネジ部及び雌ネジ部を設けるが故に構造が複雑であり、又、雄ネジ部と雌ネジ部の間には寸法上の製造誤差（バラツキ）やバックラッシ等による隙間やガタツキ等があり、第１筒部材を第２筒部材に組み付けた状態において、第１筒部材に保持されたレンズの光軸と第２筒部材に保持された光学要素の光軸を一致させるのは容易ではなく、第２筒部材の中心軸（撮像素子の中心を通る垂直線）に対して第１筒部材の中心軸（すなわち、レンズの光軸）が偏倚し又は傾くような光軸倒れ（光軸の傾き）を生じる虞があった。
【０００３】
また、他のレンズ鏡筒及び撮像装置としては、複数のレンズを配列して保持すると共に後端部に位置決め凹部が形成された第１筒部材（前鏡筒）、第１筒部材の位置決め凹部に嵌め込まれる支持突起を有し複数のレンズを保持すると共に撮像素子を取り付ける得る第２筒部材（後鏡筒）、第１筒部材と第２筒部材とを連結固定するカバー部材等を備え、第１筒部材の位置決め凹部に第２筒部材の支持突起を嵌合させて両者を接合し、その後第１筒部材から第２筒部材まで延在するカバー部材で両者を固定するようにしたレンズ鏡筒、又、このレンズ鏡筒の第２筒部材（後鏡筒）に撮像素子を実装した基板を組み付けた構成からなる撮像装置が知られている（例えば、特許文献２を参照）。
しかしながら、上記レンズ鏡筒においては、第１筒部材と第２筒部材を固定するために、専用のカバー部材が必要であり、組付け工数の増加、部品点数の増加、構造の複雑化、高コスト化等を招くものであった。
【先行技術文献】
【特許文献】
【０００４】
【特許文献１】特開２００５−２１５３６９号公報
【特許文献２】特開２０１１−０３９４６２号公報
【発明の概要】
【発明が解決しようとする課題】
【０００５】
本発明は、上記従来技術の事情に鑑みて成されたものであり、その目的とするところは、構造の簡素化、部品点数の削減、組付け作業の容易化、低コスト化等を図りつつ、光軸合わせを容易に行えると共に耐衝撃性を向上させ得るレンズ鏡筒及びそれを搭載した撮像装置を提供することにある。
【課題を解決するための手段】
【０００６】
本発明のレンズ鏡筒は、光学要素を保持する第１筒部材と、第１筒部材の端部を結合させると共に光学要素を保持する第２筒部材と、を含むレンズ鏡筒であって、上記第１筒部材は、その端部の外周から径方向に突出する突出部を有し、上記第２筒部材は、第１筒部材の端部及び突出部を嵌め込むと共に接着剤を充填する嵌合凹部を有する、ことを特徴としている。
この構成によれば、光学要素を保持した（例えば、レンズ、口径板等を光軸合わせしつつ保持した）第１筒部材と、光学要素を保持した（レンズ、口径板等を光軸合わせしつつ保持した）第２筒部材とを結合してレンズ鏡筒を形成するにあたって、第１筒部材の端部及び突出部を第２筒部材の嵌合凹部に嵌め込み、第１筒部材の光軸と第２筒部材の光軸との光軸合わせを行いつつ、突出部を埋設するように嵌合凹部に接着剤を充填して固着させる（例えば、紫外線硬化型の接着剤の場合、光軸調芯後に紫外線を照射して硬化させる）ことにより、両者を容易に結合することができる。
ここで、第１筒部材に突出部を設けたことにより、接着剤による接着面積が増え、その分接着強度を高めることができ、構造の簡素化、部品点数の削減、組付け作業の容易化、低コスト化等を達成しつつ、光軸合わせを容易に行えると共に耐衝撃性を向上させることができる。
【０００７】
上記構成において、第１筒部材の突出部は、端部の周方向において複数配列して形成され、第２筒部材の嵌合凹部は、端部を受け入れる環状凹部と、複数の突出部を受け入れるべく径方向に拡幅して形成された複数の拡幅凹部を含む、構成を採用することができる。
この構成によれば、第１筒部材を第２筒部材に結合する際に、第１筒部材の（環状の）端部が第２筒部材の環状凹部に嵌め込まれると共に、第１筒部材の複数の突出部が第２筒部材の複数の拡幅凹部に嵌め込まれ、特に、複数の拡幅凹部において、突出部を埋没させるように接着剤が充填されて固着されるため、両者をより強固に結合することができ、耐衝撃性をさらに向上させることができる。
【０００８】
上記構成において、第１筒部材は、その端部から軸線方向に環状に突出して形成された環状突出端面を有し、第２筒部材は、その環状凹部において、環状突出端面を密接させる環状受け面を有する、構成を採用することができる。
この構成によれば、第１筒部材を第２筒部材に接合して光軸合わせを行う場合に、第１筒部材の（端面よりも面積の小さい）環状突出端面を第２筒部材の環状受け面に当接させるため、摩擦等による抵抗を低減して、調芯作業（光軸合わせ）を容易に行うことができ、又、環状突出端面は環状受け面と密接するため、充填された接着剤が内部に浸入するのを防止することができる。
【０００９】
上記構成において、第１筒部材の突出部は、径方向の外側に向けて肉厚が薄くなる傾斜面をなすように形成されている、構成を採用することができる。
この構成によれば、突出部を先細りのテーパ状に形成することで、接着剤を確実に密着させて、第１筒部材と第２筒部材を確実に接着結合することができる。
【００１０】
上記構成において、第１筒部材は、その端部の外周から径方向に突出する掛止凸部を有し、第２筒部材は、掛止凸部を受け入れるべく径方向に拡幅して形成された第２拡幅凹部及び第１筒部材を接合させた後に軸線回りに回転させて掛止凸部を掛止させる掛止凹部を有する、構成を採用することができる。
この構成によれば、突出部を介して接着結合するだけでなく、第１筒部材の掛止凸部を第２筒部材の掛止凹部に掛止させることにより、第１筒部材と第２筒部材をより確実に結合することができる。
【００１１】
上記構成において、第１筒部材の掛止凸部は、端部の周方向において複数配列して形成され、第２筒部材の第２拡幅凹部及び掛止凹部は、複数の掛止凸部に対応する領域において周方向に複数配列して形成されている、構成を採用することができる。
この構成によれば、第１筒部材を第２筒部材に結合する際に、第１筒部材の複数の掛止凸部が第２筒部材の複数の第２拡幅凹部に嵌め込まれつつ掛止凹部に掛止されるため、その分だけ、両者をより強固に結合することができ、耐衝撃性をさらに向上させることができる。
【００１２】
上記構成において、第１筒部材に保持される光学要素は複数のレンズを含み、第２筒部材に保持される光学要素は複数のレンズを含む、構成を使用することができる。
この構成によれば、第１筒部材が複数のレンズを保持し、第２筒部材が複数のレンズを保持する構成において、第１筒部材のレンズの光軸と第２筒部材のレンズの光軸との光軸合わせを容易に行いつつ、耐衝撃性等に優れたレンズ鏡筒を得ることができる。
【００１３】
本発明の撮像装置は、レンズ光学系と、撮像素子と、レンズ光学系及び撮像素子を収容するハウジングとを備えた撮像装置であって、上記レンズ光学系として、上記構成をなすいずれか一つのレンズ鏡筒を含む、ことを特徴としている。
この構成によれば、上記構成をなすレンズ鏡筒を備えたことにより、構造の簡素化、部品点数の削減、組付け作業の容易化、低コスト化等を達成しつつ、光軸合わせを容易に行えると共に耐衝撃性を向上させ得ることができ、特に、デジタルカメラ、車載カメラ、監視カメラ、携帯情報端末機等として使用されるのに適した撮像装置を得ることができる。
【発明の効果】
【００１４】
上記構成をなすレンズ鏡筒によれば、構造の簡素化、部品点数の削減、組付け作業の容易化、低コスト化等を達成しつつ、光軸合わせを容易に行えると共に耐衝撃性を向上させ得ることができ、又、このレンズ鏡筒を用いることで、デジタルカメラ、車載カメラ、監視カメラ、携帯情報端末機等として使用されるのに適した撮像装置を得ることができる。
【図面の簡単な説明】
【００１５】
【図１】本発明に係るレンズ鏡筒の一実施形態を示すものであり、第１筒部材と第２筒部材とを結合する前の分解斜視図である。
【図２】図１に示すレンズ鏡筒に含まれる第１筒部材を示すものであり、（ａ）は正面図、（ｂ）は（ａ）中のＥ１−Ｅ１における断面図である。
【図３】図１に示すレンズ鏡筒に含まれる第２筒部材を示すものであり、（ａ）は正面図、（ｂ）は（ａ）中のＥ２−Ｅ２における断面図である。
【図４】図１に示すレンズ鏡筒において、第１筒部材を第２筒部材に結合した状態を示す断面図である。
【図５】図４に示すレンズ鏡筒において、第１筒部材の端部及び突出部と第２筒部材の嵌合凹部を部分的に拡大した拡大断面図である。
【図６】本発明に係るレンズ鏡筒の他の実施形態を示すものであり、第１筒部材と第２筒部材とを結合する前の分解斜視図である。
【図７】図６に示すレンズ鏡筒において、第１筒部材を第２筒部材に接合した（接着前の）状態を示す斜視図である。
【図８】図７に示すレンズ鏡筒において、第１筒部材を軸線（光軸）回りに回転させて掛止め凸部を掛止凹部に掛止させた状態を示す斜視図である。
【図９】図８に示すレンズ鏡筒おいて、第１筒部材の掛止凸部と第２筒部材の掛止凹部の関係を示す断面図である。
【図１０】図８に示すレンズ鏡筒において、第１筒部材の端部及び突出部と第２筒部材の嵌合凹部の関係を示す断面図である。
【発明を実施するための形態】
【００１６】
以下、本発明の実施形態について、添付図面を参照しつつ説明する。
この実施形態に係るレンズ鏡筒は、図１ないし図４に示すように、光学要素の光軸Ｌ１と一致する軸線を有する第１筒部材１０、光学要素の光軸Ｌ２と位置する軸線を有すると共に第１筒部材１０を結合する第２筒部材２０等を備えている。
そして、第１筒部材１０が第２筒部材２０に対して光軸合わせを行いつつ結合されることで、光軸Ｌ１と光軸Ｌ２とが一致した光軸Ｌを画定するようになっている。
また、このレンズ鏡筒をレンズ光学系として、撮像素子、及びレンズ光学系及び撮像素子を収容するハウジングを備えた構成により、デジタルカメラ、車載カメラ、監視カメラ、携帯情報端末機等の撮像装置が形成される。
【００１７】
第１筒部材１０は、図２（ａ），（ｂ）及び図４に示すように、樹脂材料等を用いて、光学要素としての口径板Ｐ１、レンズＧ１、レンズＧ２、レンズＧ３、口径板Ｐ２を保持すると共に、レンズＧ１，Ｇ２，Ｇ３の光軸Ｌ１に一致する軸線をもつ筒状に形成されており、口径板Ｐ１を嵌め込む環状段差部１１、レンズＧ１を嵌め込む嵌合内周部１２、レンズＧ２を嵌め込む嵌合内周部１３、レンズＧ３を嵌め込む嵌合内周部１４、口径板Ｐ２を嵌め込む環状段差部１５、環状の端部１６、端部１６から軸線（光軸Ｌ１）方向の後方に向けて環状に突出する環状突出端面１７、端部１６の外周から径方向に突出する複数の突出部１８等を備えている。
【００１８】
口径板Ｐ１は、図２（ｂ）に示すように、第１筒部材１０のうち最前に配置されるものであり、環状段差部１１に嵌め込まれる形状に形成されると共に、光路を所定の口径に絞る円孔を備えている。
口径板Ｐ２は、図２（ｂ）に示すように、第１筒部材１０のうち最も後方に配置されるものであり、環状段差部１５に嵌め込まれる形状に形成されると共に、光路を所定の口径に絞る円孔を備えている。
レンズＧ１，Ｇ２，Ｇ３は、図２（ｂ）に示すように、光軸Ｌ１に一致する光軸を有し、それぞれ、物体側に平面又は凹面及び像面側に凸面をもつ（凸形状又は）メニスカス形状をなすレンズである。
嵌合内周部１２は、図２（ｂ）に示すように、レンズＧ１を嵌め込むことにより、レンズＧ１の光軸を第１筒部材１０の軸線Ｌ１に一致させるように形成されている。
嵌合内周部１３は、図２（ｂ）に示すように、レンズＧ２を嵌め込むことにより、レンズＧ２の光軸を第１筒部材１０の軸線Ｌ１に一致させるように形成されている。
嵌合内周部１４は、図２（ｂ）に示すように、レンズＧ３を嵌め込むことにより、レンズＧ３の光軸を第１筒部材１０の軸線Ｌ１に一致させるように形成されている。
環状段差部１１は、図２（ｂ）に示すように、口径板Ｐ１を嵌め込むことにより、その円孔の中心を第１筒部材１０の軸線（光軸Ｌ１）に一致させるように形成されている。
環状段差部１５は、図２（ｂ）に示すように、口径板Ｐ２を嵌め込むことにより、その円孔の中心を第１筒部材１０の軸線（光軸Ｌ１）に一致させるように形成されている。
【００１９】
端部１６は、図１及び図２に示すように、円筒状に形成されると共に、第２筒部材２０の嵌合凹部２１の一部をなす環状凹部２２に所定深さに亘って嵌め込まれるように形成されている。
環状突出端面１７は、図４及び図５に示すように、端部１６から軸線（光軸Ｌ１）方向に環状に突出して形成され、第２筒部材２０の環状凹部２２内の環状受け面２２ａに密接するように形成されている。すなわち、環状突出端面１７を環状受け面２２ａに密接接合させることにより、第１筒部材１０と第２筒部材２０との光軸Ｌ方向の距離が規定（位置決め）されるようになっている。
突出部１８は、図１、図２（ａ）、図４、図５に示すように、端部１６の外周から径方向に突出しかつ円弧状に形成されると共に、端部１６の周方向において複数（ここでは、略６０度間隔で６個）配列して形成されており、第２筒部材２０の嵌合凹部２１の一部をなす拡幅凹部２３に嵌め込まれるようになっている。
また、突出部１８は、図５に示すように、径方向の外側に向けて肉厚が薄くなる傾斜面１８ａをなすように形成されている。このように、突出部１８を先細りのテーパ状に形成することで、突出部１８の接着面積を広げて接着剤Ｇｒを確実に密着させて、第１筒部材１０と第２筒部材２０を確実に接着結合することができる。
【００２０】
第２筒部材２０は、図３（ａ），（ｂ）及び図４に示すように、樹脂材料等を用いて、光学要素としてのレンズＧ４、レンズＧ５、口径板Ｐ３を保持すると共に、レンズＧ４，Ｇ５の光軸に一致する軸線Ｌ２をもつ筒状に形成されており、第１筒部材１０の端部１６及び突出部１８を嵌め込むと共に接着剤Ｇｒを充填する嵌合凹部２１（環状凹部２２、複数の拡幅凹部２３）、レンズＧ４を嵌め込む嵌合内周部２４、レンズＧ５を嵌め込む嵌合内周部２５、口径板Ｐ３を嵌め込む環状段差部２６等を備えている。
【００２１】
レンズＧ４，Ｇ５は、図３（ｂ）に示すように、光軸Ｌ２に一致する光軸を有し、それぞれ、物体側に凸面及び像面側に凹面をもつメニスカス形状をなすレンズである。
口径板Ｐ３は、図３（ｂ）に示すように、第２筒部材２０のうち最も後方に配置されるものであり、環状段差部２６に嵌め込まれる形状に形成されると共に、レンズＧ５の外縁部を押える押え板の役割をなすように形成されている。
【００２２】
嵌合凹部２１は、図１及び図３（ａ），（ｂ）に示すように、第１筒部材１０の端部１６を嵌め込む環状凹部２２、第１筒部材１０の複数の突出部１８を嵌め込むと共に接着剤Ｇｒを充填し得る複数（ここでは、６個）の拡幅凹部２３を含むように形成されている。
環状凹部２２は、第１筒部材１０の端部１６を所定の隙間をもって受け入れるように形成されており、又、その領域において、第１筒部材１０の環状突出端面１７を密接させる環状受け面２２ａを画定するように形成されている。
拡幅凹部２３は、環状凹部２２の周方向において複数（ここでは、略６０度間隔で６個）配列して形成されており、第１筒部材１０の突出部１８を受け入れるべく、径方向に拡幅しかつ周方向に所定長さの円弧状をなすように形成されている。
また、拡幅凹部２３は、図５に示すように、第１筒部材１０が第２筒部材２０に接合された状態（端部１６が環状凹部２２に嵌め込まれて環状突出端面１７が環状受け面２２ａに当接し、突出部１８が拡幅凹部２３に嵌め込まれた状態）で、突出部１８の上側から接着剤Ｇｒを充填して突出部１８を埋没させ得る深さに形成されている。
【００２３】
嵌合内周部２４は、図３（ｂ）に示すように、レンズＧ４を嵌め込むことにより、レンズＧ４の光軸を第２筒部材２０の軸線Ｌ２に一致させるように形成されている。
嵌合内周部２５は、図３（ｂ）に示すように、レンズＧ５を嵌め込むことにより、レンズＧ５の光軸を第２筒部材２０の軸線Ｌ２に一致させるように形成されている。
環状段差部２６は、図３（ｂ）に示すように、口径板Ｐ３を嵌め込むことにより、その円孔の中心を第２筒部材２０の軸線（光軸Ｌ２）に一致させるように形成されている。
【００２４】
次に、上記構成をなすレンズ鏡筒の組付け作業について、簡単に説明する。
先ず、光学要素（口径板Ｐ１、レンズＧ１，Ｇ２，Ｇ３，口径板Ｐ２）が調芯しつつ組み込まれた第１筒部材１０、光学要素（レンズＧ４，Ｇ５，口径板Ｐ３）が調芯しつつ組み込まれた第２筒部材２０を準備する。
続いて、第１筒部材１０の端部１６を環状凹部２２にかつ突出部１８を拡幅凹部２３に嵌め込むようにして第２筒部材２０に接合させる。
続いて、環状突出端面１７を環状受け面２２ａに密接させた状態で、第１筒部材１０及び第２筒部材２０の光学要素を通して撮像素子等で撮影される撮影画像等を確認しつつ、第２筒部材２０に対して第１筒部材１０を微調整して光軸Ｌ１を光軸Ｌ２に位置させる。
その後、突出部１８を覆って埋没させるように拡幅凹部２３内に接着剤Ｇｒを充填し、紫外線を照射して硬化させる。
以上により、レンズ鏡筒の組付けが完了する。
【００２５】
上記構成をなすレンズ鏡筒によれば、第１筒部材１０と第２筒部材２０とを結合してレンズ鏡筒を形成するにあたって、第１筒部材１０の端部１６及び突出部１８を第２筒部材２０の嵌合凹部２１（環状凹部２２及び拡幅凹部２３）に嵌め込み、第１筒部材１０の光軸Ｌ１と第２筒部材２０の光軸Ｌ２との光軸合わせを行いつつ、拡幅凹部２３に接着剤Ｇｒを充填して固着させることにより、両者を容易に結合することができる。
特に、第１筒部材１０に突出部１８を設けたことにより、接着剤Ｇｒによる接着面積が増え、その分接着強度を高めることができ、構造の簡素化、部品点数の削減、組付け作業の容易化、低コスト化等を達成しつつ、光軸合わせを容易に行えると共に耐衝撃性を向上させることができる。
また、第１筒部材１０の複数の突出部１８が第２筒部材２０の複数の拡幅凹部２３に嵌め込まれ、複数の拡幅凹部２３において、突出部１８を埋没させるように接着剤Ｇｒが充填されて固着されるため、両者をより強固に結合することができ、耐衝撃性をさらに向上させることができる。
さらに、第１筒部材１０を第２筒部材２０に接合して光軸合わせを行う場合に、第１筒部材１０の（端面よりも面積の小さい）環状突出端面１７を第２筒部材２０の環状受け面２２ａに当接させるため、摩擦等による抵抗を低減して、調芯作業を容易に行うことができ、又、環状突出端面１７は環状受け面２２ａと密接するため、充填された接着剤Ｇｒが内部に浸入するのを防止することができる。
【００２６】
図６ないし図１０は、本発明に係るレンズ鏡筒の他の実施形態を示すものであり、前述の実施形態と同一の構成については同一の符号を付して説明を省略する。
この実施形態に係るレンズ鏡筒は、図６ないし図１０に示すように、光学要素の光軸Ｌ１と一致する軸線を有する第１筒部材１０´、光学要素の光軸Ｌ２と位置する軸線を有すると共に第１筒部材１０´を結合する第２筒部材２０´等を備えている。
【００２７】
第１筒部材１０´は、図６ないし図１０に示すように、樹脂材料等を用いて、光学要素としての口径板Ｐ１、レンズＧ１、レンズＧ２、レンズＧ３、口径板Ｐ２を保持すると共に、レンズＧ１，Ｇ２，Ｇ３の光軸Ｌ１に一致する軸線をもつ筒状に形成されており、環状段差部１１、嵌合内周部１２、嵌合内周部１３、嵌合内周部１４、環状段差部１５、環状の端部１６、環状突出端面１７、複数（ここでは、３個）の突出部１８、端部１６の外周から径方向に突出する複数（ここでは、３個）の掛止凸部１９等を備えている。
掛止凸部１９は、図６ないし図９に示すように、端部１６の外周から径方向に突出しかつ円弧状に形成されると共に、端部１６の周方向において複数（ここでは、略１２０度間隔で３個）配列して形成されており、第２筒部材２０´の嵌合凹部２１の一部をなす第２拡幅凹部２３´に嵌め込まれると共に掛止凹部２７に掛止されるようになっている。
【００２８】
第２筒部材２０´は、図６ないし図１０に示すように、樹脂材料等を用いて、光学要素としてのレンズＧ４´を保持すると共に、レンズＧ４´の光軸に一致する軸線Ｌ２をもつ筒状に形成されており、第１筒部材１０´の端部１６及び突出部１８並びに掛止凸部１９を嵌め込むと共に接着剤Ｇｒを充填する嵌合凹部２１（環状凹部２２、複数（３個）の拡幅凹部２３、複数（３個）の第２拡幅凹部２３´）、レンズＧ４´を嵌め込む嵌合内周部２４、第１筒部材１０´の掛止凸部１９を掛止する複数（３個）の掛止凹部２７等を備えている。
レンズＧ４´は、図９に示すように、光軸Ｌ２に一致する光軸を有し、物体側に凸面及び像面側に凹面をもつメニスカス形状をなすレンズである。
第２拡幅凹部２３´は、複数の掛止凸部１９に対応する領域において、環状凹部２２の周方向において複数（ここでは、略１２０度間隔で３個）配列して形成されており、第１筒部材１０´の掛止凸部１９を受け入れるべく、径方向に拡幅しかつ周方向に所定長さの円弧状をなすように形成されている。
掛止凹部２７は、第２拡幅凹部２３´の一部を前方側から覆うように、周方向において複数（ここでは、略１２０度間隔で３個）配列して形成されており、第１筒部材１０´を接合させた後に軸線（光軸Ｌ）回りに回転させて、それぞれ対応する掛止凸部１９を掛止させるように形成されている。
【００２９】
次に、上記構成をなすレンズ鏡筒の組付け作業について、簡単に説明する。
先ず、光学要素（口径板Ｐ１、レンズＧ１，Ｇ２，Ｇ３，口径板Ｐ２）が調芯しつつ組み込まれた第１筒部材１０´、光学要素（レンズＧ４´）が調芯しつつ組み込まれた第２筒部材２０´を準備する。
続いて、第１筒部材１０´の端部１６を環状凹部２２に嵌め込み、突出部１８を拡幅凹部２３に嵌め込み、掛止凸部１９を第２拡幅凹部２３´に嵌め込むようにして第２筒部材２０´に接合させる。
続いて、環状突出端面１７を環状受け面２２ａに密接させた状態で、第１筒部材１０´を第２筒部材２０´に対して軸線回り（反時計回り）に回転して、掛止凸部１９を掛止凹部２７に掛止すると共に、第１筒部材１０´及び第２筒部材２０´の光学要素を通して撮像素子等で撮影される撮影画像等を確認しつつ、第２筒部材２０´に対して第１筒部材１０´を微調整して光軸Ｌ１を光軸Ｌ２に位置させる。
その後、突出部１８を覆って埋没させるように拡幅凹部２３内に接着剤Ｇｒを充填し、紫外線を照射して硬化させる。
以上により、レンズ鏡筒の組付けが完了する。
【００３０】
上記構成をなすレンズ鏡筒によれば、突出部１８を介して接着結合するだけでなく、第１筒部材１０´の掛止凸部１９を第２筒部材２０´の掛止凹部２７に掛止させることにより、第１筒部材１０´と第２筒部材２０´をより確実に結合することができる。
特に、第１筒部材１０´を第２筒部材２０´に結合する際に、第１筒部材１０´の複数の掛止凸部１９が第２筒部材２０´の複数の第２拡幅凹部２３´に嵌め込まれつつ掛止凹部２７に掛止されるため、その分だけ、両者をより強固に結合することができ、耐衝撃性をさらに向上させることができる。
【００３１】
上記実施形態においては、第１筒部材１０，１０´及び第２筒部材２０，２０´に保持される光学要素として、口径板Ｐ１，Ｐ２，Ｐ３，レンズＧ１，Ｇ２，Ｇ３，Ｇ４，Ｇ４´，Ｇ５を示したが、これに限定されるものではなく、例えば、第２筒部材に対して、光学フィルタや撮像素子が保持されてもよい。
【産業上の利用可能性】
【００３２】
以上述べたように、本発明のレンズ鏡筒は、構造の簡素化、部品点数の削減、組付け作業の容易化、低コスト化等を達成しつつ、光軸合わせを容易に行えると共に耐衝撃性を向上させ得ることができるため、デジタルカメラ、車載カメラ、監視カメラ、携帯情報端末機等の撮像装置のレンズ光学系として適用できるのは勿論のこと、その他の環境下で使用される撮像装置のレンズ光学系としても有用である。
【符号の説明】
【００３３】
１０，１０´  第１筒部材
Ｐ１，Ｐ２  口径板（光学要素）
Ｇ１，Ｇ２，Ｇ３  レンズ（光学要素）
Ｌ１  光軸（軸線）
１６  端部
１７  環状突出端面
１８  突出部
１８ａ  傾斜面
１９  掛止凸部
２０，２０´  第２筒部材
Ｇ４，Ｇ４´，Ｇ５  レンズ（光学要素）
Ｌ２  光軸（軸線）
Ｐ３  口径板（光学要素）
２１  嵌合凹部
２２  環状凹部
２２ａ  環状受け面
２３  拡幅凹部
２３´  第２拡幅凹部
２７  掛止凹部
【図１】
2016051076.tif 000003
【図２】
2016051076.tif 000004
【図３】
2016051076.tif 000005
【図４】
2016051076.tif 000006
【図５】
2016051076.tif 000007
【図６】
2016051076.tif 000008
【図７】
2016051076.tif 000009
【図８】
2016051076.tif 000010
【図９】
2016051076.tif 000011
【図１０】
2016051076.tif 000012